(57)【特許請求の範囲】
【請求項１】
インターネット上で電子商取引をサポートするオンラインマーケットサーバーが、該サーバーとネットワークを通じて接続された販売者端末と購買者端末間のオンライン取引を中継する電子商取引方法において、
前記サーバーが、電子商取引のためのサーバー運営者が提供する書式及び前記販売者が登録する書式を付加注文書式として、該付加注文書式による付加注文情報を必要とする売買対象に対応して、付加書式データベース内のマスターテーブルまたは商品テーブルに登録する段階と、
前記サーバーが、前記売買対象の注文に必要な基本注文情報のためのオプションフィールド項目及び前記マスターテーブルまたは商品テーブルに管理された前記付加注文書式を購買者端末に提供し、注文時に前記購買者端末から提出される前記付加注文書式による前記付加注文情報を前記付加書式データベース内のオブジェクトテーブルに管理する段階と、
前記サーバーが、前記販売者端末または前記購買者端末からの確認要請時に前記オブジェクトテーブル内の前記付加注文書式を提供する段階と、
前記サーバーが、前記販売者端末からの前記売買対象に対する注文内訳の補完要請がある場合に、当該事項を前記購買者端末へ通知し、前記購買者端末からの前記売買対象に対する注文内訳の前記補完要請がある場合に、当該事項を前記販売者端末へ通知し、前記売買対象が販売者から購買者に提供されるように処理する段階と、を含むことを特徴とする電子商取引方法。
【請求項２】
前記付加注文書式を前記マスターテーブルまたは前記商品テーブルに登録する段階の前に、
前記サーバーが、前記販売者の信用度によって前記付加注文書式の登録可能可否を決定する段階を含むことを特徴とする請求項１に記載の電子商取引方法。
【請求項３】
前記販売者が同一のカテゴリーに他の売買対象を登録する場合に、
前記サーバーが、当該売買対象に対して以前に登録した書式と同一の付加注文書式の登録可能可否を決定する過程を省略することを特徴とする請求項２に記載の電子商取引方法。
【請求項４】
前記付加注文書式を前記マスターテーブルまたは前記商品テーブルに登録する段階は、
前記売買対象の購買のためのページにおいて、
テキストによって説明された少なくとも1つの入力窓にテキストまたはファイルをアップロードする形態と、
端末にダウンロードしたアプリケーションを用いてテキストまたはファイルをアップロードする形態と、
販売者データベースにアクセス可能なウェブファイルまたはアクティブエックスファイルを通じて前記販売者データベースにテキストまたはファイルをアップロードする形態と、
提供されたＵＲＬでローディングされるウェブファイルまたはアクティブエックスファイルを通じてテキストまたはファイルをアップロードする形態のうち少なくともいずれか１つ以上を利用することを特徴とする請求項１に記載の電子商取引方法。
【請求項５】
前記サーバーが、前記付加注文書式を前記マスターテーブルに管理し、
前記サーバーが、１又は複数の当該付加注文書式を、前記マスターテーブルの付加注文書式のうち少なくともいずれか１つ以上に対応して各売買対象の購買が要請された時にジョイントテーブルを通じて、前記購買者端末に提供し、
前記サーバーが、注文時に前記購買者端末から提出された１又は複数の付加注文書式を、前記オブジェクトテーブルに管理し、前記販売者端末または前記購買者端末からの確認要請時に提供することを特徴とする請求項１に記載の電子商取引方法。
【請求項６】
前記サーバーが、登録される１又は複数の前記付加注文書式を各売買対象に対応して前記商品テーブルに管理し、当該１又は複数の前記付加注文書式を各売買対象の購買要請時に前記商品テーブルを通じて前記購買者端末に提供し、
前記サーバーが、注文時に前記購買者端末から提出された１又は複数の付加注文書式を前記オブジェクトテーブルに管理し、前記販売者端末または前記購買者端末の確認要請時に提供することを特徴とする請求項１に記載の電子商取引方法。
【請求項７】
前記処理する段階で、
前記サーバーが、前記販売者端末から前記注文内訳の前記補完要請がある場合に、当該事項が補完されるまでの履歴として前記販売者端末からの要請事項及び前記販売者端末からの要請に対応して前記購買者端末からさらに提出される付加注文書式を前記付加注文書式データベース内の履歴テーブルに管理することを特徴とする請求項１に記載の電子商取引方法。
【請求項８】
前記処理する段階で、
前記サーバーが、前記販売者端末からの前記注文内訳の前記補完要請がある場合に、当該要請事項をＳＭＳまたは電子メール形態で前記購買者端末に通知するか、または、前記購買者端末から前記注文内訳の前記補完要請がある場合に、当該要請事項をＳＭＳまたは電子メール形態で前記販売者端末に通知することを特徴とする請求項１に記載の電子商取引方法。
【請求項９】
前記処理する段階で、
前記サーバーが、前記販売者端末から前記注文内訳の前記補完要請がある場合に、当該要請事項が所定の個人情報保護ポリシーに違反すれば、前記購買者端末から通知された前記販売者の違反事実を、運営者に伝達することを特徴とすることを特徴とする請求項１に記載の電子商取引方法。
【請求項１０】
前記注文する段階の後に、
前記サーバーが、前記付加注文情報の提出後に一定の期間のみにおいて販売者専用画面に前記注文内訳のうち前記付加注文情報を提供することを特徴とする請求項１に記載の電子商取引方法。
【請求項１１】
請求項１乃至１０のいずれかに記載の方法をコンピュータで実行させることができるプログラムを記載したコンピュータで読み取り可能な記録媒体。
【請求項１２】
電子商取引システムにおいて、
インターネット上で電子商取引をサポートするオンラインマーケットサーバーを含み、
前記サーバーは、該サーバーとインターネットを介して接続された販売者端末と購買者端末間のオンライン取引の中継を制御する制御部を含み、
前記制御部は、売買対象の注文のためのオプションフィールド項目の情報を含む基本注文情報及び提供された付加注文書式による付加注文情報を提出して注文するように制御し、前記売買対象に対する注文内訳の補完要請を確認して、前記売買対象が販売者から購買者に提供されるように処理し、
前記サーバーは、電子商取引のためのサーバー運営者が提供する書式及び前記販売者が登録する書式を付加注文書式として、該付加注文書式による付加注文情報を必要とする前記売買対象に対応して、付加書式データベース内のマスターテーブルまたは商品テーブルに登録する付加書式登録簿と、
前記売買対象の注文に必要な基本注文情報のためのオプションフールド項目を購買者端末に提供する取引中継部と、
前記売買対象の注文に必要な前記マスターテーブルまたは商品テーブルに管理された前記付加注文書式を購買者端末に提供し、購買者端末から提出される前記付加注文書式による前記付加注文情報を前記付加注文書式データベース内のオブジェクトテーブルに管理し、前記販売者端末または前記販売者端末からの確認要請時に前記オブジェクトフィールド内の前記付加注文書式を提供する付加書式提出部と、
前記販売者端末からの前記売買対象に対する注文内訳の補完要請がある場合に、当該事項を前記購買者端末へ通知し、前記購買者端末からの前記売買対象に対する注文内訳の前記補完要請がある場合に、当該事項を前記販売者端末へ通知するメッセージ発送部と、を含むことを特徴とする電子商取引システム。
【請求項１３】
前記サーバーは、前記販売者の信用度によって前記付加注文書式の登録可能可否を決定する登録承認部をさらに含むことを特徴とする請求項１２に記載のオンラインマーケットシステム。
【請求項１４】
前記サーバーは、
販売者専用画面で前記売買対象に対する注文内訳のうち前記付加注文情報に対する確認要請がある場合に、前記付加注文情報の提出後に一定の期間以内であるか否かを確認して前記付加注文情報を前記販売者端末へ提供し、
前記販売者端末から前記注文内訳の補完要請がある場合に、当該要請事項が所定の個人情報ポリシーに違反すれば、前記購買者端末から通知された前記販売者の違反事実を、運営者に伝達する個人情報保護部をさらに含むことを特徴とする請求項１２に記載のオンラインマーケットシステム。
【請求項１５】
前記サーバーは、前記販売者端末から前記売買対象に対する前記注文内訳の前記補完要請がある場合に、当該要請事項をＳＭＳまたは電子メール形態で前記購買者端末に通知し、前記購買者端末から前記売買対象に対する前記注文内訳の前記補完要請がある場合に、当該要請事項をＳＭＳまたは電子メール形態で前記販売者端末に通知するメッセージ発送部をさらに含むことを特徴とする請求項１２に記載のオンラインマーケットシステム。
【発明の詳細な説明】
【技術分野】
【０００１】
本発明は、インターネットなどの媒体を通じて商品売買を中継する方法及びシステムに関し、特に、オンラインオープンマーケットで取引しにくい商品やサービスの注文のために、購買者がオフラインを通じて必要な当該付加注文情報を販売者に伝達するという実情を改善し、このような付加注文情報が必要な商品やサービスに対して別途のオフラインを通じた購買者と販売者間の情報交換なしに、オンラインオープンマーケットに登録されている付加注文書式を用いて購買者からすべての付加的な注文情報が受け付けられ、販売者にとって当該商品やサービスの準備と配送が効率的に行われるようにすることによって、商品取引の多様性をサポートし、電子商取引を拡大及び活性化することができる方法及びシステムに関する。
【背景技術】
【０００２】
最近、インターネットなどオンラインマーケットプレイスにおいて商品やサービスの売買中継など電子商取引を運営する様々なショッピングモールが登場している。このようなオンラインショッピングモールを通じて、購買者は、宅内でも販売者が登録した多様な商品やサービスを便利に購買することができる。
【０００３】
一般的に、販売者が販売用に登録する多様な商品やサービスが購買者によって購買され得るように中継するオンラインオープンマーケットにおいて、購買者は、購買しようとする商品やサービスの数量、色、サイズなど簡単な基本注文情報を入力し決済することによって、販売者から当該商品を配送したりサービスを提供したりすることができる。例えば、Ｔシャツ、シャツ、ワイシャツなどの衣類を購買する購買者は、オープンマーケットで説明されている商品のうち希望する商品に対する数量、色、サイズなどを購買者画面の所定フィールドから選択するか、または、注文時に要求事項などでメモして購買を要請することができる。
【０００４】
しかしながら、場合によっては、購買者が衣類を購買しながら、自分が希望するイメージ、例えば、会社マーク、バックナンバー、チームマーク／ネームなどを衣類にインプリント（imprint）してもらうことを希望する場合がある。この際、一般的なオンラインオープンマーケットでは、衣類にインプリントするイメージのような付加的な注文情報は当該マーケットサーバーを通じて直接受け付けられないという問題点がある。この場合、購買者は、当該付加注文情報を除いた事項をもって決済し、これにより、販売者は、オフラインを通じて購買者と別途の連絡方法をとって、当該付加注文情報を入手して処理する。このように付加的な注文情報が必要な他の商品やサービスとして、加入申込書や健康保険証の写しなどが必要な移動端末機の販売、契約書やパスポート／ビザなどが必要な海外旅行の販売、設計図や説明書などが必要な製作模型の販売などを例示することができる。
【０００５】
したがって、このように付加的な注文情報が必要な商品やサービスであるとしても、別途のオフラインを通じた購買者と販売者間の情報交換なしに、オンラインオープンマーケットを通じて基本注文情報とともに受け付けられる付加注文情報で多様な商品やサービスが円滑且つ効率的に取引できるように中継するオンラインショッピングモールが要求されている。
【発明の概要】
【発明が解決しようとする課題】
【０００６】
したがって、本発明は、前述したような問題点を解決するためになされたものであって、本発明の目的は、オンラインオープンマーケットに登録されている多様な形態の付加注文書式を用いて購買者からすべての付加的な注文情報が受け付けられ、販売者による当該商品やサービスの準備と配送を効率的に行うことができる電子商取引方法及びシステムを提供することにある。
【０００７】
また、本発明の他の目的は、商品やサービスの特性上、簡単な基本注文情報以外に付加注文情報が必要な商品やサービスに対しても商品取引の多様性をサポートし、取引の拡大と活性化に寄与することができる電子商取引方法及びシステムを提供することにある。
【課題を解決するための手段】
【０００８】
まず、本発明の特徴を要約すれば、前述のような本発明の目的を達成するための本発明の一態様によると、販売者と購買者間のオンライン取引を中継する電子商取引方法は、売買対象の注文のためのオプションフィールド項目の情報を含む基本注文情報及び提供された付加注文書式による付加注文情報を提出して注文する段階と、前記売買対象に対する注文内訳の補完要請を確認し前記売買対象が販売者から購買者に提供されるように処理する段階と、を含む。
【０００９】
前記注文する段階の前に、販売者が、前記売買対象の登録時に、前記電子商取引のためのサーバーの運営者が提供する書式または前記販売者が登録する書式を前記付加注文書式として登録する段階を含む。前記登録する段階の前に、前記販売者の信用度によって前記運営者が提供する書式または前記販売者が登録する書式の登録可能可否を決定する段階を含む。
前記販売者が同一のカテゴリーに他の売買対象を登録する場合に、当該売買対象に対して以前に登録した書式と同一の付加注文書式の登録可能可否を決定する過程を省略することができる。
【００１０】
前記登録する段階は、売買対象の購買のためのページにおいて、テキストによって説明された少なくとも１つの入力窓にテキストまたはファイルをアップロードする形態と、端末にダウンロードしたアプリケーションを用いてテキストまたはファイルをアップロードする形態と、販売者データベースにアクセス可能なウェブファイルまたはアクティブエックスファイルを通じて前記販売者データベースにテキストまたはファイルをアップロードする形態と、提供されたＵＲＬでローディングされるウェブファイルまたはアクティブエックスファイルを通じてテキストまたはファイルをアップロードする形態のうち少なくともいずれか１つ以上を利用する。
【００１１】
登録される各付加注文書式は、マスターテーブルに管理され、１又は複数の当該付加注文書式は、前記マスターテーブルの付加注文書式のうち少なくともいずれか１つ以上に対応して各売買対象の購買が要請された時にジョイントテーブルを通じて提供され、注文時に提出された１又は複数の付加注文書式をオブジェクトテーブルに管理して販売者または購買者の確認要請時に提供することができる。
【００１２】
前記処理する段階で、販売者から前記注文内訳の補完要請がある場合に、当該事項が補完されるまでの履歴として販売者の要請事項及び販売者の要請に対応して購買者がさらに提出した付加注文書式を履歴テーブルに管理することができる。
【００１３】
前記処理する段階で、販売者から前記注文内訳の補完要請がある場合に、当該要請事項をＳＭＳまたは電子メール形態で購買者に通知するか、または、購買者から前記注文内訳の補完要請がある場合に、当該要請事項をＳＭＳまたは電子メール形態で販売者に通知することができる。
【００１４】
前記処理する段階で、販売者から前記注文内訳の補完要請がある場合に、当該要請事項が所定の個人情報保護ポリシーに違反すれば、購買者は、運営者に前記販売者の違反事実を通知することができる。
【００１５】
前記注文する段階の後、前記付加注文情報の提出後に一定の期間のみにおいて販売者専用画面で前記注文内訳のうち前記付加注文情報を確認できるようにすることができる。
【００１６】
また、本発明の他の態様による電子商取引方法は、販売者が売買対象の登録時に運営者が提供する書式または前記販売者が登録する書式を付加注文書式として登録する段階と、前記売買対象の注文時にオプションフィールド項目を購買者端末に提供し、前記オプションフィールド項目によって前記購買者端末が基本注文情報を提出する段階と、前記売買対象の注文時に前記登録された付加注文書式を前記購買者端末に提供し、前記基本注文情報以外に前記付加注文書式によって前記購買者端末が付加注文情報を提出する段階とを含む。
【００１７】
また、本発明のさらに他の態様による電子商取引システムは、インターネット上で電子商取引をサポートするオンラインマーケットサーバーを含み、前記オンラインマーケットサーバーは、販売者と購買者間のオンライン取引の中継を制御する制御部を含み、前記制御部は、売買対象の注文のためのオプションフィールド項目の情報を含む基本注文情報及び提供された付加注文書式による付加注文情報を提出して注文するように制御し、前記売買対象に対する注文内訳の補完要請を確認し、前記売買対象が販売者から購買者に提供されるように処理することを特徴とする。
【００１８】
また、本発明のさらに他の態様によるオンラインマーケットシステムは、販売者が売買対象の登録時に運営者が提供する書式または前記販売者が登録する書式を付加注文書式として登録する付加書式登録簿と、前記売買対象の注文時にオプションフィールド項目を購買者端末に提供し、前記オプションフィールド項目によって前記購買者端末が基本注文情報を提出するように処理する取引中継部と、前記売買対象の注文時に前記登録された付加注文書式を前記購買者端末に提供し、前記基本注文情報以外に前記付加注文書式によって前記購買者端末が付加注文情報を提出するように処理する付加書式提出部と、を含む。
【００１９】
前記付加書式提出部は、前記売買対象に対する注文内訳の補完要請を確認し、前記売買対象が販売者から購買者に提供されるように処理することができる。
【００２０】
前記オンラインマーケットシステムは、前記販売者の信用度によって前記運営者が提供する書式または前記販売者が登録する書式の登録可能可否を決定する登録承認部をさらに含むことができる。
【００２１】
前記オンラインマーケットシステムは、販売者専用画面で前記売買対象に対する注文内訳のうち前記付加注文情報に対する確認要請がある場合に、前記付加注文情報の提出後に一定の期間以内であるか否かを確認して前記付加注文情報を提供し、販売者から前記付加注文情報の補完要請がある場合に、当該要請事項が所定の個人情報保護ポリシーに違反すれば、購買者から前記販売者の違反事実を通知して運営者に伝達する個人情報保護部をさらに含むことができる。
【００２２】
前記オンラインマーケットシステムは、販売者から前記売買対象に対する注文内訳の補完要請がある場合に、当該要請事項をＳＭＳまたは電子メール形態で購買者に通知し、購買者から前記売買対象に対する注文内訳の補完要請がある場合に、当該要請事項をＳＭＳまたは電子メール形態で販売者に通知するメッセージ発送部をさらに含むことができる。
【発明の効果】
【００２３】
本発明による電子商取引方法及びシステムによれば、オンラインオープンマーケットに登録されている多様な形態の付加注文書式を用いて購買者からすべての付加的な注文情報を受け付けることができ、これにより、オフラインを通じた情報交換なしに販売者による当該商品やサービスの準備と配送を効率的に行うことができる。
【００２４】
また、本発明による電子商取引方法及びシステムによれば、商品やサービスの特性上、簡単な基本注文情報以外に付加注文情報が必要な商品やサービスに対しても商品取引の多様性をサポートするので、オンラインを通じた取引の拡大と活性化に寄与することができる。
【図面の簡単な説明】
【００２５】
【図１】本発明の一実施例によるオンラインマーケットシステムを説明するための図である。
【図２】本発明の一実施例によるオンラインマーケットサーバーの具体的なブロック図である。
【図３】本発明の一実施例による付加書式ＤＢの具体的なブロック図である。
【図４】本発明の一実施例による付加書式ＤＢを具体的に説明するための図である。
【図５】本発明の一実施例によってインプリントが要求された衣類の取引中継サービスを説明するための図である。
【図６】本発明の一実施例による付加注文情報の例を説明するための図である。
【図７】本発明の一実施例によるオンラインマーケットシステムの動作説明のためのフローチャートである。
【発明を実施するための形態】
【００２６】
以下、添付の図面及び添付の図面に記載された内容を参照して、本発明の好ましい実施例を詳細に説明するが、本発明が実施例によって限定されるものではない。各図面に示された同一の参照符号は、同一の部材を示す。
【００２７】
図１は、本発明の一実施例による電子商取引のためのオンラインマーケットシステム（１００）を説明するための図である。図１を参照すれば、本発明の一実施例によるオンラインマーケットシステム（１００）は、ネットワーク（１１０）、オンラインマーケットサーバー（１２０）、購買者端末（１３０）、販売者端末（１４０）及び販売者ＤＢ（１４１）を含むことができる。
【００２８】
ここで、ネットワーク（１１０）は、有線または無線インターネットであってもよく、その他、有線公衆網、無線移動通信網、または携帯インターネットなどと統合されたコア網であってもよい。このようなネットワーク（１１０）を通じてオンラインショッピングモールを運営し、販売者と購買者間の商品やサービスなどの一般的な売買、競売、逆競売、価格交渉などを中継するサーバーであるオンラインマーケットサーバー（１２０）は、ネットワーク（１１０）を通じて販売者端末（１４０）から販売者が販売する多様な商品やサービスなどが登録され、登録された多様な商品やサービスなどをネットワーク（１１０）を通じて購買者端末（１３０）に提供し、購買者が必要な商品やサービスなどを購買することができるようにする。
【００２９】
ここで、売買対象としての商品やサービスなどは、一般的なブランドの商品やサービスを含むだけでなく、家内手工業品、返品された割引適用品、中古品、共同購買品などの商品や、インテリア施工、工事、建築、法律サービスなど人間の精神的または肉体的労働が含まれるサービスなどを含む。その他、特に、本発明では、イメージをインプリントして販売される衣類、加入申込書や健康保険証の写しなどが販売に要求される移動端末機、契約書やパスポート／ビザなどが販売に要求される海外旅行、設計図や説明書などが販売に要求される製作模型など付加的な注文情報が必要な他の商品やサービスなどをもすべて含む。
【００３０】
また、オンラインマーケットサーバー（１２０）は、販売される売買対象リストのうち購買者が購入決定して選択した売買対象に対する決済を処理することができ、決済された売買対象に対しては、購買者に配送され得るように、販売者に決済された売買対象に対する案内を通知するなど配送に必要な過程と配送中の商品の位置追跡や結果などの照会ができるように処理することができる。
【００３１】
購買者端末（１３０）及び販売者端末（１４０）は、デスクトップパソコン、ノートパソコンなどのコンピュータであることが一般的であるが、これらに限定されるものではなく、ネットワーク（１１０）を通じてオンラインマーケットサーバー（１２０）に接続し、双方向性電子商取引サービスを利用することができるすべての種類の有無線通信装置を使用することができる。例えば、購買者端末（１３０）及び販売者端末（１４０）は、無線インターネットまたは携帯インターネットを通じて通信するセルラーホン、ＰＣＳホン（Personal Communications Services phone）、同期式／非同期式ＩＭＴ−２０００（International Mobile Telecommunication-2000）などの移動端末を含み、その他、パームパソコン（Palm Personal Computer）、個人用の携帯情報端末（ＰＤＡ：Personal Digital Assistant）、スマートホン、ＷＡＰモードの携帯電話（WAP phone:Wireless application protocol phone）、モバイルゲーム機（mobile play-station）などオンラインマーケットサーバー（１２０）に接続するためのユーザインターフェースを有するすべての有無線家電／通信装置を包括的に意味することができる。
【００３２】
本発明では、特に、オンラインマーケットサーバー（１２０）は、前述のような付加注文情報が販売に要求される商品やサービスが、オフラインを通じた情報交換なしに効率的に処理されることができるようにするために、販売者が売買対象（商品やサービスなど）の登録時にサーバーのデータベースで提供する書式（基本提供書式）または販売者が販売者ＤＢ（１４１）に基づいて登録する書式（販売者登録書式）を付加注文書式として登録することができるようにする。このような付加注文書式の登録時には、販売者の信用度によって前記基本提供書式または前記販売者登録書式の登録可能可否を決定し、一定の等級以上の販売者だけが本発明による付加注文書式を使用できるようにすることができる。この際、販売者が同一のカテゴリーに他の売買対象を登録する場合には、当該売買対象に対して以前に登録した書式と同一の付加注文書式に対しては登録可能可否を決定する過程を省略し、すぐに当該付加注文書式を使用できるようにすることができる。これにより、オンラインマーケットサーバー（１２０）は、購買者が当該売買対象の注文のためのオプションフィールド項目（例えば、数量、色、サイズ、販売者がまとめ売りする他の追加商品など）の情報を含む基本注文情報と提供された当該付加注文書式による付加注文情報（付加的にアップロードされるテキストまたはファイル情報）を提出して注文することができるようにし、当該売買対象に対する注文内訳の補完要請を確認し、当該売買対象が販売者から購買者に提供されるように処理することができる。
【００３３】
このように、売買対象の電子商取引を中継するオンラインマーケットサーバー（１２０）を通じて商品やサービスに対する多様な形態の付加注文書式を用いて購買者からすべての付加的な注文情報を受け付けることができ、これにより、オフラインを通じた情報交換なしに販売者による当該商品やサービスの準備と配送を効率的に行うことができる。これにより、本発明によるオンラインマーケットサーバー（１２０）を通じて商品やサービスの特性上、簡単な基本注文情報以外に、付加注文情報が必要な商品やサービスに対しても商品取引の多様性をサポートするので、オンラインを通じた取引の拡大と活性化に寄与することができる。
【００３４】
図２は、本発明の一実施例によるオンラインマーケットサーバー（１２０）の具体的なブロック図である。図２を参照すれば、本発明の一実施例によるオンラインマーケットサーバー（１２０）は、制御部（２１０）、購買者情報ＤＢ（２１１）、販売者情報ＤＢ（２１２）、付加書式ＤＢ（２１３）、通信インターフェース（２２０）、取引中継部（２３０）、付加書式登録簿（２４０）、登録承認部（２５０）、付加書式提出部（２６０）、個人情報保護部（２７０）、メッセージ発送部（２８０）、及び決済処理部（２９０）を含む。
【００３５】
制御部（２１０）は、基本的に販売者と購買者間の商品やサービスのオンライン取引を中継する電子商取引サービスを提供するために、販売者の商品登録、購買者の商品購買及び決済された商品に対する配送処理などを制御し、その他、オンラインマーケットサーバー（１２０）の前述のような各構成要素の全般的な制御を行うプロセッサに該当する。また、本発明によると、制御部（２１０）は、売買対象（商品やサービスなど）の注文のためのオプションフィールド項目の情報を含む基本注文情報（例えば、数量、色、サイズ、販売者がまとめ売りする他の追加商品など）及び提供された付加注文書式による付加注文情報（付加的にアップロードされるテキストまたはファイル情報）を提出して注文するように制御し、当該売買対象に対する注文内訳の補完要請を確認し、当該売買対象が販売者から購買者に提供されるように処理することができる。
【００３６】
販売者端末（１４０）は、ネットワーク（１１０）を通じてオンラインマーケットサーバー（１２０）に接続することができ、通信インターフェース（２２０）による有無線通信処理によってオンラインマーケットサーバー（１２０）の商品やサービスなどの売買中継サービスを利用することができる。販売者は、販売者端末（１４０）を通じてオンラインマーケットサーバー（１２０）のサービス利用顧客として会員加入することができ、会員加入された販売者が登録する販売者情報（例えば、販売者ＩＤ、パスワード、連絡先など）、商品情報（例えば、販売商品の商品名、価格、商品ブランド、商品の特徴など）などが販売者情報ＤＢ（２１２）に保存される。この際、販売者が付加注文情報を必要とする売買対象（商品やサービスなど）を登録する時に、販売者が販売者ＤＢ（１４１）に基づいて登録する書式（販売者登録書式）だけでなく、サーバーの運営者が提供する書式（基本提供書式）を付加注文書式として選択して登録することができ、このように当該売買対象に対応して登録される付加注文書式は、付加書式ＤＢ（２１３）に管理されることができる。ここで、販売者は、他のインターネットサイトの運営者であってもよく、販売者端末（１４０）は、販売者が運営する所定のサーバーであってもよい。これにより、オンラインマーケットサーバー（１２０）と販売者端末（１４０）との間に、必要な商品登録情報や締結情報など所要の情報の自動送受信などの連動が可能になるようにすることができる。
【００３７】
また、購買者端末（１３０）もネットワーク（１１０）を通じてオンラインマーケットサーバー（１２０）に接続することができ、通信インターフェース（２２０）による有無線通信処理によってオンラインマーケットサーバー（１２０）の商品やサービスなどの売買中継サービスを利用することができる。購買者は、購買者端末（１３０）を通じてオンラインマーケットサーバー（１２０）のサービス利用顧客として会員加入することができ、会員加入された購買者が登録する購買者情報、例えば、購買者ＩＤ、パスワード、連絡先、買い物かご情報、入札中の商品情報、落札された商品情報、価格交渉中の商品情報、及び決済商品に対する商品情報、配送情報、購買決定可否情報などが購買者情報ＤＢ（２１１）に保存される。購買者が付加注文情報を必要とする売買対象（商品やサービスなど）を購買するとき、付加注文書式を記入して提出したテキストやファイルなどの付加注文情報は、購買者情報、販売者情報及び締結情報などと連関して付加書式ＤＢ（２１３）のオブジェクトテーブル（図３の（３５０）参照）に管理されることができる。
【００３８】
取引中継部（２３０）は、前述のように、販売者によって登録された商品やサービスの売買を中継するために、販売者情報ＤＢ（２１２）に保存された販売商品やサービスに関する情報をウェブページを通じて購買者端末（１３０）に提供し、商品に対する名称や内容に基づいて購買者端末（１３０）からの検索語に対する当該商品を検索し、購買者端末（１３０）にウェブページを通じてそのリストを提供することもできる。
【００３９】
取引中継部（２３０）は、購買者が注文に必要なオプションフィールド項目をチェックすることによって即時購買など購買することができる注文ページを提供することができる。例えば、売買対象の種類によって異なるが、数量を選択または記入するフィールド、色を選択または記入するフィールド、サイズを選択または記入するフィールド、販売者がまとめ売りする他の追加商品を選択または記入するフィールドなどが購買者端末（１３０）に提供されることができる。これにより、購買者が必要な項目を選択するか記入して購買することによって、当該項目の情報が含まれた基本注文情報（数量、色、サイズ、販売者がまとめ売りする他の追加商品など）をサーバー（１２０）に提出することができる。
【００４０】
必要に応じて、付加書式提出部（２６０）は、前述のような付加注文情報が要求される売買対象に対して注文がある場合に、注文ページなどで所定のタグをクリックするとき、上記のように販売者によって登録された付加注文書式を購買者端末（１３０）に提供することができ、これにより、上記のような基本注文情報以外に、当該付加注文書式によって購買者端末（１３０）が付加注文情報（付加的にアップロードされるテキストまたはファイル情報）を提出するように処理することができる。
【００４１】
このような基本注文情報（数量、色、サイズ、販売者がまとめ売りする他の追加商品など）、または必要に応じて、付加注文情報（付加的にアップロードされるテキストまたはファイル情報）が提出された後、購買者が当該商品やサービスなどに対して最終的に決済メニューを選択すれば、取引中継部（２３０）は、購買者によって決済選択された販売者の当該売買対象に対する決済画面情報を、ウェブページを通じて購買者端末（１３０）に提供することができる。決済画面情報に基づき、購買者端末（１３０）に表示される決済画面で購買者関連情報（購買者氏名、ＩＤ、連絡電話番号など）、決済対象に関する情報、決済金額、配送先、決済方式（クレジットカード、銀行預金、リアルタイム口座振込み、サイバーマネーなど）などが購買者によって選択または入力されるように構成される。決済画面のすべての必要情報が記入され確認された後、購買者による最終決済要請に対して、決済処理部（２９０）は、公認認証書などを利用した認証過程手続を経て決済を行う。購買者が、支払いによって商品やサービスを受け取った後に返品や払い戻しなどを要求する場合でない限り、購買者端末（１３０）から購買決定の承認が通知された後、所定の手数料ポリシーによって代金を精算し、販売者口座に送金することができる。
【００４２】
一方、前述のような付加注文書式が使用できるように、付加書式登録簿（２４０）は、付加書式ＤＢ（２１３）に運営者が提供する付加注文書式、販売者が登録する付加注文書式などを管理する。
【００４３】
図３を参照すれば、付加書式ＤＢ（２１３）は、マスターテーブル（３１０）、商品テーブル（３２０）、ジョイントテーブル（３３０）、オブジェクトテーブル（３４０）、及び履歴テーブル（３５０）を含む。
【００４４】
付加書式登録簿（２４０）は、運営者が提供するために登録する付加注文書式（基本提供書式）と販売者が登録する付加注文書式（販売者登録書式）に図４のようにＰＫ（Primary Key）のような固有番号を付与し、マスターテーブル（３１０）に保存し管理する。例えば、運営者が提供するための基本提供書式として、イメージがインプリントされる衣類、移動端末機、海外旅行、製作模型などの購買時に必要な簡単なテキスト、申込書ファイル、イメージファイルなどのアップロードができるアプリケーション、ウェブファイルまたはアクティブエックスファイルなどがマスターテーブル（３１０）に管理されることができる。また、上記のように運営者が提供する付加注文書式だけでは注文に要求されるすべての情報を収集しにくい場合、販売者は、追加的に当該商品やサービスに関連して、例えば、各種申込書や説明書、契約書、健康保険証の写し、パスポート／ビザの写し、設計図、説明書などのアップロードができるアプリケーション、ウェブファイルまたはアクティブエックスファイルなどを販売者登録書式としてマスターテーブル（３１０）に管理されるようにすることができる。例えば、マスターテーブル（３１０）には、各固有登録番号ごとに、付加書式の提供者、ファイル名、ファイルの拡張子、売買対象のカテゴリー（大／中）、運営者／販売者などの生成者、生成日、修正者、修正日、使用可否、保存経路などが管理される。
【００４５】
これにより、付加書式登録簿（２４０）は、販売者が当該売買対象を登録する時に、運営者が提供する付加注文書式または販売者が自主的に登録する付加注文書式を選択し、当該売買対象とマッチングさせて登録することができる。このために、商品テーブル（３２０）は、販売者が販売のために登録する商品情報に基づいて各商品ごとにＰＫのような商品番号を付与して管理し、図４のように、当該ＰＫに対して商品名及び商品価格などの商品情報とマッチングされるように管理する。これにより、当該売買対象に対して運営者が提供する付加注文書式または販売者が自主的に登録する付加注文書式を販売者が選択して登録する際、付加書式登録簿（２４０）は、マスターテーブル（３１０）に管理されたＰＫを参照した固有番号と商品テーブル（３２０）に管理されたＰＫを参照した商品番号とを対応させて当該売買対象を管理する。図４のように、ジョイントテーブル（３３０）を用いて、各売買対象がマスターテーブル（３１０）の付加注文書式のうち少なくともいずれか１つ以上に対応して管理されることができる。
【００４６】
その他、システムを簡単にするために、付加書式ＤＢ（２１３）でマスターテーブル（３１０）とジョイントテーブル（３３０）を除去し、商品テーブル（３２０）自体がこれを代替するようにすることもできる。例えば、商品テーブル（３２０）は、運営者が提供する付加注文書式（基本提供書式）と販売者が登録する付加注文書式（販売者登録書式）を保存し管理することができるとともに、上記のようにＰＫが付与された各売買対象（商品）に対応させて販売者が登録する１又は複数の付加注文書式を管理することもできる。
【００４７】
このような売買対象の登録とともに当該付加注文書式を登録するとき、登録承認部（２５０）は、販売者の信用度によって運営者が提供する付加注文書式または販売者が登録する付加注文書式の登録可能可否を決定することができる。例えば、販売者の商品やサービスと関連した配送状態、品質満足度、決済金額などに基づいて購買者または運営者が評価した販売者の信用点数によって、一定の点数以上の販売者だけが必要な付加注文書式を登録することもでき、使用しないこともできる。しかし、販売者が同一のカテゴリーに他の売買対象を登録する場合などのように、当該売買対象に対して以前に登録した書式と同一の付加注文書式を登録しようとする場合には、上記のような付加注文書式の登録可能可否の決定過程を省略することができる。
【００４８】
このように各商品やサービスとマッチングされた付加注文書式が登録されてマスターテーブル（３１０）に管理されれば、購買者から当該売買対象の注文がある場合に、付加書式提出部（２６０）は、注文ページなどで所定タグをクリックすると、上記のように、ジョイントテーブル（３３０）（または、上記のようにマスターテーブルとジョイントテーブルがない場合に商品テーブル）に管理される当該１又は複数の付加注文書式を購買者端末（１３０）に提供することができ、これにより、上記のような基本注文情報以外に、該当付加注文書式によって購買者端末（１３０）が付加注文情報（付加的にアップロードされるテキストまたはファイル情報）を提出するように処理することができる。
【００４９】
例えば、購買者端末（１３０）は、注文ページなどの購買用のページにおいて、上記のように付加注文書式を提出するための所定のタグをクリックすると、サーバー（１２０）の付加書式提出部（２６０）の動作によってジョイントテーブル（３３０）（または、上記のようにマスターテーブルとジョイントテーブルがない場合に商品テーブル）が参照されて、当該付加書式として提供されるテキストによって説明された少なくとも１つの入力窓にテキストまたはファイルをアップロードする形態で付加注文情報を提出することができる。例えば、画面に現れる所定の申込書に氏名、健康保険番号、連絡先などを記入し、必要なイメージファイルなどをアップロードすることができる。
【００５０】
また、購買者端末（１３０）は、端末にダウンロードするように付加書式提出部（２６０）の動作によってジョイントテーブル（３３０）（または、上記のようにマスターテーブルとジョイントテーブルがない場合に商品テーブル）が参照されて、当該付加書式として提供されるアプリケーションをダウンロードした後、当該アプリケーションを行うことによって、所定の申込書などにテキストまたはファイルをアップロードする形態で付加注文情報を提出することができる。また、購買者端末（１３０）は、付加書式提出部（２６０）の動作によってジョイントテーブル（３３０）（または、上記のようにマスターテーブルとジョイントテーブルがない場合に商品テーブル）が参照されて、当該付加書式として提供される販売者ＤＢ（１４１）に接近可能なウェブファイルまたはアクティブエックス（Ａｃｔｉｖｅ  Ｘ）ファイルを通じて、前記販売者ＤＢ（１４１）にテキストまたはファイルをアップロードする形態で付加注文情報を提出することができる。また、購買者端末（１３０）は、付加書式提出部（２６０）の動作によってジョイントテーブル（３３０）（または、上記のようにマスターテーブルとジョイントテーブルがない場合に商品テーブル）が参照されて、当該付加書式として提供されるＵＲＬ（Uniform Resource Locator）でローディングされるウェブファイルまたはアクティブエックスファイルを通じて、テキストまたはファイルをアップロードする形態で付加注文情報を提出することができる。
【００５１】
このように購買者から付加注文書式が提出されて決済されれば、付加書式提出部（２６０）は、各売買対象に対する注文内訳（基本注文情報、付加注文情報、決済情報など）の補完要請を確認し、売買対象が販売者から購買者に提供されるように処理することができる。購買者が注文ページなどで注文時に提出する１又は複数の付加注文書式は、図４のように、ＰＫ（Primary Key）として固有番号が付与されてオブジェクトテーブル（３４０）に管理され、販売者または購買者が注文内訳などを通じて確認要請時に当該付加注文書式が修正されるように提供されることができる。例えば、オブジェクトテーブル（３４０）には、各固有登録番号ごとにマスター固有番号（マスターテーブルで書式番号）、購買者ＩＤ、締結番号、保存経路、購買者入力可否、購買者初回入力日、購買者入力日、販売者確認可否、販売者最終確認日、最終修正者、最終修正日、変更可能可否、ＧＳＭ（G-market Seller Management）公開可否などが管理される。販売者は、ＧＳＭによる所定の販売者専用画面で自分の商品やサービスの注文内訳を確認することができ、購買者は、買い物かごページ、注文／決済ページ、注文完了ページ、自分のショッピング情報ページ、取引現況ページなどで自分の注文内訳を確認することができる。
【００５２】
特に、このような注文内訳を確認することによって、購買者は、一定の期間以内、例えば、商品やサービスの配送処理以前までに提出された付加注文書式を修正し、さらに提出することができ、販売者も、追加の要請事項や間違いがある場合に、付加注文書式の修正を要請することができる。このような修正要請に対する関連履歴、例えば、購買者または販売者の要請事項と修正され再提出された付加注文書式が履歴テーブル（３５０）に管理される。
【００５３】
販売者が取引内訳を確認するための所定の販売者専用画面で、注文内訳のうち付加注文情報などが充分でない場合に、購買者に補完を要請することができ、この際、メッセージ発送部（２８０）は、当該要請事項をＳＭＳ（Short Message Service）または電子メール形態で購買者に通知することができる。また、購買者から当該売買対象に対する注文内訳の補完要請がある場合に、当該要請事項をＳＭＳまたは電子メール形態で販売者に通知することができる。特に、購買者よりは販売者から注文内訳の補完要請が多いことがある。このように、販売者から当該注文内訳の補完要請がある場合に、履歴テーブル（３５０）によってオブジェクトテーブル（３４０）に管理される当該付加注文書式は、修正可能な状態に変更されることができる。当該事項が購買者によって補完されるまで、履歴として販売者の要請事項及び販売者の要請に対応して購買者がさらに提出した付加注文書式などが履歴テーブル（３５０）に管理されることができる。
【００５４】
上記のように、ＧＳＭによる販売者専用画面などで当該売買対象に対する注文内訳のうち付加注文情報に対する確認要請が販売者からある場合に、個人情報保護部（２７０）は、個人情報保護のために所定の個人情報保護ポリシーによって一定の期間以内、例えば、当該付加注文情報の提出後に一週間のみ該当付加注文情報が販売者に提供されるようにすることができる。ひいては、個人情報保護部（２７０）は、販売者から上記のように当該付加注文情報の付加注文書式などに対して補完要請がある場合に、当該要請事項が所定の個人情報保護ポリシーに違反すれば、購買者から販売者の違反事実を通知して、運営者に伝達することもできる。
【００５５】
図５は、本発明の一実施例によってインプリントが要求された衣類の取引中継サービスを説明するための図である。
【００５６】
図５を参照すれば、オープンマーケット形態でサービスすることができる本発明によるオンラインマーケットサーバー（１２０）は、インターネットなどのネットワークを通じて購買者である多数のクライアントから衣類にイメージをインプリントして提供する販売者の当該売買対象に対して注文を受けることができる。このような衣類インプリントサービスのためには、プリントされるイメージ、プリント位置などに関する正確な注文説明などが要求される。クライアントから基本注文情報として数量、個数、色、サイズなどを受け付けることができ、プリントされるイメージと関連して付加注文書式を用いてイメージに関する説明やイメージファイルなど付加注文情報がアップロードされることができる。このように基本注文情報と付加注文情報が受け付けられれば、オンラインマーケットサーバー（１２０）は、販売者に基本注文情報が含まれた当該決済情報とともに付加注文情報などの注文内訳を伝達することによって、販売者が注文内訳を確認し、該当衣類にイメージをインプリントして配送することができるように中継する。販売者は、オフラインを通じて購買者と注文に関連した別途の情報交換をする必要がなく、付加注文情報などの修正要請がある場合に、ＧＳＭによる販売者専用画面を通じて修正要請することができる。これに対応して、購買者は、購買者専用画面を通じて修正し通知することができるようになる。
【００５７】
このような付加注文書式を用いてオンラインオープンマーケットで商品取引の多様性をサポートできるようになった本発明によるオンラインマーケットサーバー（１２０）により、上記のようにイメージをインプリントして販売する衣類だけでなく、図６のように、加入申込書、健康保険証の写し、その他必要な証拠書類などが販売に要求される移動端末機と、契約書、パスポート／ビザ、その他必要な証拠書類などが販売に要求される海外旅行と、設計図、説明書、その他必要な書類などが販売に要求される製作模型など付加的な注文情報が必要な他の商品やサービスなどにまで類似の方法で幅広くショッピング中継サービスを提供することができる。
【００５８】
以下、本発明の一実施例によるオンラインマーケットシステム（１００）の動作を図７のフローチャートを参照してさらに詳しく説明する。
【００５９】
まず、オンラインマーケットサーバー（１２０）は、運営者が提供する付加注文書式、例えば、イメージがインプリントされる衣類、移動端末機、海外旅行、製作模型などの購買時に必要な簡単なテキスト、申込書ファイル、イメージファイルなどをアップロードすることができるアプリケーション、ウェブファイルまたはアクティブエックスファイルなどをマスターテーブル（３１０）に管理する（Ｓ７１０）。
【００６０】
販売者も販売者ＤＢ（１４１）に付加注文書式を管理することができ、販売者ＤＢ（１４１）にアクセス可能なウェブファイルまたはアクティブエックス（Ａｃｔｉｖｅ  Ｘ）ファイルなどを通じて購買者端末（１３０）から販売者ＤＢ（１４１）にアクセスできるように、当該ファイルが販売者ＤＢ（１４１）に管理されることができる（Ｓ７２０）。また、販売者は、販売者端末（１４０）を通じてオンラインマーケットサーバー（１２０）のマスターテーブル（３１０）に必要な付加注文書式を登録することができる。例えば、上記のように運営者が提供する付加注文書式だけで注文に要求されるすべての情報を収集しにくい場合に、販売者は、追加的に当該商品やサービスと関連して、例えば、各種申込書や説明書、契約書、健康保険証の写し、パスポート／ビザの写し、設計図、説明書などをアップロードすることができるアプリケーション、ウェブファイルまたはアクティブエックスファイルなどをマスターテーブル（３１０）に登録することができる。
【００６１】
その他、付加書式ＤＢ（２１３）からマスターテーブル（３１０）とジョイントテーブル（３３０）を除去することができ、この際、商品テーブル（３２０）自体がこれを代替できるようにすることもできる。例えば、商品テーブル（３２０）は、運営者が提供する付加注文書式（基本提供書式）と販売者が登録する付加注文書式（販売者登録書式）を保存し管理することができる。
【００６２】
この際、付加書式登録簿（２４０）は、販売者が当該売買対象の登録時に運営者が提供する付加注文書式または販売者が自主的に登録する付加注文書式を選択し、当該売買対象とマッチングさせて登録することができるようにする（Ｓ７２１）。
【００６３】
このような売買対象の登録とともに当該付加注文書式を登録するとき、登録承認部（２５０）は、販売者の信用度によって運営者が提供する付加注文書式または販売者が登録する付加注文書式の登録可能可否を決定することができる（Ｓ７３０）。例えば、販売者の商品やサービスと関連して配送状態、品質満足度、決済金額などに基づいて購買者または運営者が評価した販売者の信用点数によって、一定の点数以上の販売者だけが必要な付加注文書式を登録することもでき、使用しないこともできる。しかし、販売者が同一のカテゴリーに他の売買対象を登録する場合などのように、当該売買対象に対して以前に登録した書式と同一の付加注文書式を登録しようとする場合には、上記のような付加注文書式の登録可能可否の決定過程は省略することができる。
【００６４】
このように登録される各付加注文書式は、図４のように、ＰＫ（Primary Key）として固有番号が付与されてマスターテーブル（３１０）に管理され、ジョイントテーブル（３３０）を通じて商品テーブル（３２０）の各売買対象が前記マスターテーブル（３１０）の付加注文書式のうち少なくともいずれか１つ以上に対応して管理される（Ｓ７４０）。付加書式ＤＢ（２１３）からマスターテーブル（３１０）とジョイントテーブル（３３０）を除去し、商品テーブル（３２０）がこれを代替できるようにする場合には、商品テーブル（３２０）にＰＫが付与された各売買対象（商品）に対応させて販売者が登録する１又は複数の付加注文書式を管理することもできる。
【００６５】
このように各商品やサービスとマッチングされた付加注文書式が登録されてジョイントテーブル（３３０）に管理される間に、購買者は、購買者端末（１３０）を通じてオンラインマーケットサーバー（１２０）で中継される商品やサービスをブラウジングすることができる（Ｓ７５０）。オンラインマーケットサーバー（１２０）の取引中継部（２３０）は、購買者のブラウジングのために販売者情報ＤＢ（２１２）に保存された販売商品やサービスに関する情報をウェブページを通じて購買者端末（１３０）に提供し、商品に対する名称や内容に基づいて購買者端末（１３０）からの検索語に対する当該商品を検索し、購買者端末（１３０）にウェブページを通じて当該リストを提供することもできる。この際、取引中継部（２３０）は、購買者が注文に必要なオプションフィールド項目、例えば、売買対象の種類によって異なることができるが、数量を選択または記入するフィールド、色を選択または記入するフィールド、サイズを選択または記入するフィールド、販売者がまとめ売りする他の追加商品を選択または記入するフィールドなどをチェックし、即時購買など購買することができる注文ページを提供することができる。これにより、購買者が必要な項目を選択または記入して、購買を要請することによって、当該項目の情報が含まれた基本注文情報（数量、色、サイズ、販売者がまとめ売りする他の追加商品など）をサーバー（１２０）に提出することができる（Ｓ７５１）。
【００６６】
この際、オンラインマーケットサーバー（１２０）の付加書式提出部（２６０）は、付加注文情報が要求される売買対象に対して注文がある場合に、上記のような基本注文情報が提出されるとき、または注文ページなどで所定のタグをクリックするとき、上記のように販売者によって登録された付加注文書式を購買者端末（１３０）に提供することができ、これにより、上記のような基本注文情報以外に当該付加注文書式によって購買者端末（１３０）が付加注文情報（付加的にアップロードされるテキストまたはファイル情報）を提出するように処理することができる（Ｓ７５２）。
【００６７】
例えば、購買者端末（１３０）は、注文ページなど購買のためのページにおいて、上記のように、付加注文書式を提出するための所定のタグをクリックするとき、サーバー（１２０）の付加書式提出部（２６０）の動作によって提供されるテキストによって説明された少なくても１つの入力窓にテキストを記入するか、またはファイルをアップロードする形態で付加注文情報を提出することができる（Ｓ７５３）。例えば、画面に現われる所定の申込書に氏名、健康保険番号、連絡先などを記入し、必要なイメージファイルなどをアップロードすることができる。また、購買者端末（１３０）は、端末にダウンロードするように付加書式提出部（２６０）の動作によって提供されるアプリケーションをダウンロードした後、該当アプリケーションを実行することによって、所定の申込書などにテキストまたはファイルをアップロードする形態で付加注文情報を提出することができる。また、購買者端末（１３０）は、付加書式提出部（２６０）の動作によって提供される販売者ＤＢ（１４１）にアクセス可能なウェブファイルまたはアクティブエックス（Ａｃｔｉｖｅ  Ｘ）ファイルを通じて前記販売者ＤＢ（１４１）にテキストまたはファイルをアップロードする形態で付加注文情報を提出することができる。また、購買者端末（１３０）は、付加書式提出部（２６０）の動作によって提供されるＵＲＬ（Uniform Resource Locator）でローディングされるウェブファイルまたはアクティブエックスファイルを通じてテキストまたはファイルをアップロードする形態で付加注文情報を提出することもできる。
【００６８】
このような基本注文情報（数量、色、サイズ、販売者がまとめ売りする他の追加商品など）または必要な場合、付加注文情報（付加的にアップロードされるテキストまたはファイル情報）が提出された後、購買者が当該商品やサービスなどに対して最終的に決済メニューを選択すれば（Ｓ７５４）、取引中継部（２３０）は、購買者によって決済選択された販売者の当該売買対象に対する決済画面情報をウェブページを通じて購買者端末（１３０）に提供することができる。決済画面情報に基づき、購買者端末（１３０）に表示される決済画面で購買者関連情報（購買者氏名、ＩＤ、連絡電話番号など）、決済対象に関する情報、決済金額、配送先、決済方式（クレジットカード、銀行預金、リアルタイム口座振込み、サイバーマネーなど）などが購買者によって選択または入力されるように構成される。決済画面のすべての必要情報が記入され確認された後、購買者による最終決済要請に対して、決済処理部（２９０）は、公認認証書などを利用した認証過程手続を経て決済を行う。
【００６９】
このように購買者から付加注文書式が提出され決済されれば、購買者が注文ページなどで注文時に提出する１又は複数の付加注文書式は、図４のように、ＰＫ（Primary Key）として固有番号が付与されてオブジェクトテーブル（３４０）に管理され、販売者または購買者が注文内訳などを通じて確認要請時に当該付加注文書式が修正されるように提供されることができる（Ｓ７６０）。付加書式提出部（２６０）は、各売買対象に対する注文内訳（基本注文情報、付加注文情報、決済情報など）の補完要請を確認し、売買対象が販売者から購買者に提供されるように処理することができる。販売者は、ＧＳＭによる所定の販売者専用画面で自分の商品やサービスの注文内訳を確認することができ、購買者は、買い物かごページ、注文／決済ページ、注文完了ページ、自分のショッピング情報ページ、取引現況ページなどで自分の注文内訳を確認することができる（Ｓ７６１）。特に、このような注文内訳の確認を通じて、購買者は、一定の期間以内、例えば、商品やサービスの配送処理以前までに提出された付加注文書式を修正してさらに提出することができ、販売者も、追加要請事項や間違いがある場合に、付加注文書式の修正を要請することができる。このような修正要請に対する関連履歴、例えば、購買者または販売者の要請事項と修正され再提出された付加注文書式が履歴テーブル（３５０）に管理される。
【００７０】
特に、販売者が取引内訳を確認するための所定の販売者専用画面で注文内訳のうち付加注文情報などが充分でない場合に購買者に補完を要請することができ（Ｓ７６２）、この際、メッセージ発送部（２８０）は、当該要請事項をＳＭＳ（Short Message Service）または電子メール形態で購買者に通知することができる（Ｓ７６３）。また、購買者から当該売買対象に対する注文内訳の補完要請がある場合に、当該要請事項をＳＭＳまたは電子メール形態で販売者に通知することができる。特に、購買者より販売者から注文内訳の補完要請が多いことがあるが、このように販売者から当該注文内訳の補完要請がある場合に、当該事項が補完されるまでの履歴として販売者の要請事項及び販売者の要請に対応して購買者がさらに提出した付加注文書式などが履歴テーブル（３５０）に管理されることができる（Ｓ７７０、Ｓ７６０）。
【００７１】
上記のようにＧＳＭによる販売者専用画面などで当該売買対象に対する注文内訳のうち付加注文情報に対する確認要請が販売者からある場合に、個人情報保護部（２７０）は、個人情報保護のために所定の個人情報保護ポリシーによって一定の期間以内、例えば、当該付加注文情報の提出後に一週間のみ該当付加注文情報が販売者に提供されるようにすることができる。ひいては、個人情報保護部（２７０）は、販売者から上記のように当該付加注文情報の付加注文書式などに対して補完要請がある場合に、当該要請事項が所定の個人情報保護ポリシーに違反すれば、購買者から販売者の違反事実を通知して、運営者に伝達することもできる。
【００７２】
このような付加注文情報の修正事項が提出され、販売者が確認する過程が繰り返された後、すべての注文に必要な事項が満たされれば、取引中継部（２３０）は、販売者端末（１４０）が当該専用画面で注文内訳によって配送できるように、販売者端末（１４０）に配送要請を通知することができる（Ｓ７６４）。図５及び図６のように、販売者は、当該商品やサービスを準備し（Ｓ７８０）、購買者に配送する（Ｓ７９０）。その後、購買者が、支払いによって商品やサービスを受け取った後に返品や払い戻しなどを要求する場合でない限り、決済処理部（２９０）は、購買者端末（１３０）から購買決定の承認が通知された後、所定の手数料ポリシーによる代金を精算し、販売者口座に送金することができる。
【００７３】
本明細書に開示された方法及びシステムで使用される機能は、コンピュータで読み取り可能な記録媒体にコンピュータが読み取り可能なコードとして実装可能である。コンピュータが読み取り可能な記録媒体は、コンピュータシステムによって読み取り可能なデータが保存されるすべての種類の記録装置を含む。例えば、コンピュータが読み取り可能な記録媒体として、ＲＯＭ、ＲＡＭ、ＣＤ−ＲＯＭ、磁気テープ、フロッピー（登録商標）ディスク、光データ保存装置などが挙げられ、また、搬送波（例えば、インターネットを介した伝送）の形態で具現されるものも含まれる。また、コンピュータで読み取り可能な記録媒体は、ネットワークで接続されたコンピュータシステムに分散され、その方法は分散方式でコンピュータが読み出すことができるコードで保存され実行されることができる。
【００７４】
以上、本発明は、限定された実施例と図面によって説明されたが、本発明は、上記実施例に限定されるものではなく、本発明の属する分野における通常の知識を有する者ならばこのような記載から多様な修正及び変形が可能である。したがって、本発明の範囲は、説明された実施例に限定されて定められるべきものではなく、後述する特許請求の範囲のみならず、この特許請求の範囲と均等なものなどによって定められるべきである。
【図１】
0005682086.tif 000002
【図２】
0005682086.tif 000003
【図３】
0005682086.tif 000004
【図４】
0005682086.tif 000005
【図５】
0005682086.tif 000006
【図６】
0005682086.tif 000007
【図７】
0005682086.tif 000008